(57)【要約】【課題】頭部施工におけるブラケットや型枠装置を小型にすることができ、効率的かつ経済的な柱頭部の構築方法を提供すること。【解決手段】張出し架設工法における柱頭部の構築方法において、橋脚１に支持されたブラケット２で柱頭部６の下部を構築し、前記柱頭部６の下部に、斜材７の一端側を支持させ、前記斜材７の他端側で作業床２Ａの張り出し側中間部または張り出し側先端部を支持し、前記斜材７に支持された前記作業床２Ａの張り出し側中間部または張り出し側先端部で柱頭部６に接続する第１ブロック８の一部を施工するための型枠４を支持するようにしたプレストレストコンクリート橋の柱頭部の構築方法。【選択図】図２
2009097197.tif 000002
【特許請求の範囲】
【請求項１】
張出し架設工法における柱頭部の構築方法において、橋脚に支持されたブラケットで柱頭部の下部を構築し、前記柱頭部の下部に、斜材の一端側を支持させ、前記斜材の他端側で作業床の張り出し側中間部または張り出し側先端部を支持し、前記斜材に支持された前記作業床の張り出し側中間部または張り出し側先端部で柱頭部に接続する第１ブロックの一部を施工するための型枠を支持するようにしたことを特徴とするプレストレストコンクリート橋の柱頭部の構築方法。
【請求項２】
張出し架設工法における柱頭部の構築方法において、橋脚に沿ってブラケットを上昇させるようにして、橋脚の施工から連続的に柱頭部の下部を構築し、前記柱頭部の下部に、斜材の一端側を支持させ、前記斜材の他端側で前記ブラケットを備えた作業床の張り出し側中間部または張り出し側先端部を支持し、前記斜材に支持された前記作業床の張り出し側中間部または張り出し側先端部で柱頭部に接続する第１ブロックの一部を施工するための型枠を支持するようにしたことを特徴とするプレストレストコンクリート橋の柱頭部の構築方法。
【請求項３】
前記第１ブロックの一部を構築した後、前記斜材で第１ブロックの下部を支持するように盛り替え、その状態で、柱頭部および前記第１ブロックの残りの部分を築造するようにしたことを特徴とする請求項１または２に記載の柱頭部の構築方法。
【発明の詳細な説明】
【技術分野】
【０００１】
本発明は、張出し架設工法により構築されるプレストレストコンクリート橋において、橋脚の上方に位置する柱頭部の構築方法に関する。
【背景技術】
【０００２】
従来、張出し架設工法により構築されるプレストレストコンクリート橋における柱頭部の構築方法としては、橋脚にブラケットを備えた作業床を支持させるようにして、柱頭部を構築する方法が知られている（例えば、特許文献１〜３参照）。
【０００３】
ブラケットを使用する工法のなかでも、図７〜図９に示すように、橋脚１の側部に、大型ブラケット１５を設置し、その大型ブラケット１５上に、支保工（図示を省略）を組立て、柱頭部６および張出し部の型枠４を設置して、型枠４内に、コンクリート９を打設して、柱頭部６および張出し部を構築することが知られている。この場合、前記の大型ブラケット１５により、柱頭部６および張出し部５の全重量を支承している形態である。
【特許文献１】特開平１１−１３１４２１号公報
【特許文献２】特開２００４−２１８３１６号公報
【特許文献３】特開２００５−１７１５２１号公報
【発明の開示】
【発明が解決しようとする課題】
【０００４】
前記のように、柱頭部を構築する際に設置するブラケットを備えた作業床は、柱頭部の全コンクリート荷重を支持出来るように設計していることから、かなり大がかりな大型ブラケット１５を備えた作業床となり、大型ブラケット１５を備えた作業床の組み立てに長期間を必要とし、支保工を含めた型枠装置が複雑に配置されるため、施工が煩雑で、施工工期も長期の期間必要としていた。
本発明は、柱頭部施工におけるブラケットを備えた作業床や型枠装置を小型にすることができ、効率的かつ経済的な柱頭部の構築方法を提供することである。
【課題を解決するための手段】
【０００５】
前記の課題を有利に解決するために、第１発明のプレストレストコンクリート橋の柱頭部の構築方法では、張出し架設工法における柱頭部の構築方法において、橋脚に支持されたブラケットで柱頭部の下部を構築し、前記柱頭部の下部に、斜材の一端側を支持させ、前記斜材の他端側で作業床の張り出し側中間部または張り出し側先端部を支持し、前記斜材に支持された前記作業床の中間部または先端部で柱頭部に接続する第１ブロックの一部を施工するための型枠を支持するようにしたことを特徴とする
また、第２発明のプレストレストコンクリート橋の柱頭部の構築方法では、張出し架設工法における柱頭部の構築方法において、橋脚に沿ってブラケットを上昇させるようにして、橋脚の施工から連続的に柱頭部の下部を構築し、前記柱頭部の下部に、斜材の一端側を支持させ、前記斜材の他端側で前記ブラケットを備えた作業床の張り出し側中間部または張り出し側先端部を支持し、前記斜材に支持された前記作業床の張り出し側中間部または張り出し側先端部で柱頭部に接続する第１ブロックの一部を施工するための型枠を支持するようにしたことを特徴とする。
また、第３発明では、第１または第２発明のプレストレストコンクリート橋の柱頭部の構築方法において、前記第１ブロックの一部を構築した後、前記斜材で第１ブロックの下部を支持するように盛り替え、その状態で、柱頭部および前記第１ブロックの残りの部分を築造するようにしたことを特徴とする。
【発明の効果】
【０００６】
本発明によると、次ぎの効果が得られる。
柱頭部の下部に支持された斜材でブラケットを有する作業床の中間部または先端部を支持することで、従来のようにブラケットで柱頭部の全荷重を支持するように支承する必要がなく、ブラケットで直接支持する荷重が軽減されることから、柱頭部または第１ブロック施工におけるブラケットや型枠装置を小型にすることができ施工の効率も向上させることができる。
【発明を実施するための最良の形態】
【０００７】
次に、本発明を図示の実施形態に基づいて詳細に説明する。
【０００８】
図１〜図６は、本発明の柱頭部の構築方法における施工工程の一形態を示すものであって、まず、図１に示すように、コンクリート製橋脚１は、順次上方に築造され、橋脚１の施工に続いて、柱頭下部の一部である柱頭下部部分１３まで施工を行う。
【０００９】
前記の橋脚１の施工時においては、ブラケット２を備えた作業床２Ａの基端側の縦部分３は、既設側の橋脚１に支持された状態で、適宜配筋すると共に型枠４を上部に組み、前記ブラケット２を備えた作業床２Ａの張り出し部５上は、足場５ａとして、使用される。
前記のようにして、型枠４内にコンクリートを打設して、橋脚１を、順次上方に築造する。
【００１０】
そして、前記の柱頭下部の一部（柱頭下部部分１３）を築造する時点で、傾斜支持梁１４の先端部が、それぞれ、橋軸方向張り出し側に向かって上部になるように傾斜して配置されていると共に、その傾斜支持梁１４の基端側が、コンクリート製橋脚１の上部に築造された柱頭部６における下部部分１３に、適宜アンカー手段により埋め込み固定されている。
前記の傾斜支持梁１４の先端部の位置は、プレストレス導入用のケーブルと干渉しない低レベル位置に配置されている。傾斜支持梁１４の先端部の位置が、柱頭部の上端部レベルに近い位置であると、プレストレス導入用のケーブルの位置と干渉するので、好ましくない。
【００１１】
前記の傾斜支持梁１４には、適宜傾斜したねじ付きのＰＣ鋼材等の斜材７の基端部（上部）が定着されていると共に、柱頭下部部分１３にシースが埋め込み配置され、斜材７の中間部が挿通配置され、前記斜材７の他端部は、鋼製ブラケット２を備えた作業床２Ａにおける張り出し部５の張り出し側中間部（または図示省略を省略するが、張り出し部５の張り出し側先端部）に連結係止されている（図１および図５（ａ）に示す状態）。
また、前記作業床２Ａにおける基端側受け材（ブラケット２の基端側縦部分）を橋脚に仮設アンカーにより固定するか、またはＰＣ鋼材で前記基端側受け材を緊張固定する（図示を省略した）。
この状態では、ブラケット２を備えた作業床２Ａにおける張り出し部が、斜材７に支持されているので、ブラケット２を備えた作業床２Ａの張り出し部５を安定した状態で、確実に支持させておくことができる。
また、張り出し部５は、柱頭下部部分１３のみの荷重を支持するようにしているため、従来のように大型のブラケットを設置する必要がなく、小型のブラケット２を備えた作業床２Ａを使用するだけでよいので、橋脚１築造工程におけるブラケット２を備えた作業床２Ａをそのまま（あるいは適宜延長して）転用することができるため、ブラケット２を備えた作業床２Ａの組み立ておよび設置が極めて容易になり、また、ブラケット２を備えた作業床２Ａ上での支保工の設置が容易であり、施工工程が簡素になる等の効果がある。
（なお、前記の柱頭下部の一部（柱頭下部部分１３）を築造する時点で、前記のようなブラケット２を有する作業床２Ａに代えて、図示を省略するが、ワーゲンに使用する新たな作業床を組立て、そのような作業床における基端側受け材を橋脚に仮設アンカーにより固定するか、またはＰＣ鋼材で前記基端側受け材を緊張固定し、張り出し側中間部または張り出し側先端部を前記のように斜材７で支持するようにしてもよく、この場合には、ワーゲンが柱頭部上に設置された後には、斜材７での支持を解除し、作業床はワーゲンに適宜盛り替えられてブロックの築造に転用する。）
【００１２】
次いで、図２に示すように、張り出し部５上に適宜支保工（図示を省略した）を設置すると共に、前記支保工により橋軸方向に張り出す各第１ブロック８側における型枠４を支持すると共に、柱頭下部部分１３の鉄筋に接続するように、橋軸方向に張り出す各第１ブロック８側における下部側の鉄筋を配筋し、コンクリート９を打設・硬化して、第１ブロック８における底部コンクリート部９を築造する。
【００１３】
前記底部コンクリート部９を養生硬化した後、前記各斜材７における先端部の連結係合を一時解放し、張り出し部５から、図３に示すように、前記底部コンクリート部９に盛り替える。
前記傾斜斜材７としては、例えば、総ネジ異径ＰＣ鋼棒を使用するようにすれば、これに装着される支承座金およびナット等を底部コンクリート部分に当接するように係合すると容易である。なお、傾斜斜材７の下端部は、適宜、必要に応じ、図示のように、短く切断するようにしてもよく、予め雌ねじ筒により連結したものを使用し、雌ねじ筒部分以下を取り外すことにより、図示のように短くするようにしてもよい。
【００１４】
前記のように、底部コンクリート部９に盛り替えるようにすると、張り出し部５は、柱頭部６を築造するためのコンクリートの鉛直荷重を支持する必要がないので、張り出し部５は作業用足場５ａとして使用するようにすればよい。
【００１５】
次いで、図３に示すように、既に築造された底部コンクリート部９に、２点鎖線で示すように、側部型枠４を支持させるようにして、第２ロットとして、中間コンクリート部１０を築造すべく、底部コンクリート部９の鉄筋接続部に接続するように配筋すると共にコンクリートを打設して、築造する。
【００１６】
同様に、前記中間コンクリート部１０に、側部型枠４を支持させるようにして、第３ロットとして、中間コンクリート部１０の鉄筋接続部に接続するように配筋すると共にコンクリートを打設して、頂部コンクリート部１１を築造する。この場合、前記の傾斜斜材７は、コンクリートウェブ１２内に埋め込み配置されるようにすると、傾斜斜材７が外部に露出するとことがないので、防食することができる。
【００１７】
なお、前記の場合に、傾斜支持梁１４は、図６に示すように、コンクリートウェブ１２内に埋め込み配置するようにし、かつブロック８の上部に配置することなく、中間あるいは下部に埋め込み配置して、ケーブルなどの配筋の邪魔にならない位置に埋め込み配設される。
【００１８】
前記の傾斜支持梁１４としては、例えば、Ｈ形鋼のフランジに定着用孔および定着金具（図示を省略）を設けるようにすればよい。
【００１９】
以上のことから、傾斜支持梁１４で斜材７を支持することで、ブラケット２を備えた作業床または新たな作業床で直接支持する荷重が軽減されることから、柱頭部施工におけるブラケット２を備えた作業床や型枠４を小型にすることができ施工の効率も向上させることができる。
【００２０】
柱頭部６の一部に傾斜支持梁１４を埋設することにより、ブラケット２または底部コンクリート部９を支持することができ、従来の柱頭部施工におけるブラケットや型枠を縮小することができる。
【００２１】
前記実施形態では、橋脚１を順次施工する場合に、ブラケット２を上昇させるようにする形態を説明するようにしたが、本発明を実施する場合、橋脚を築造するのに使用するブラケットを解体撤去した後、橋脚部に使用する別個のブラケットを設置するようにしてもよい。
【図面の簡単な説明】
【００２２】
【図１】本発明の柱頭部の構築方法の一例の第１工程を示す概略側面図である。
【図２】本発明の柱頭部の構築方法の一例の第２工程を示す概略側面図である。
【図３】本発明の柱頭部の構築方法の一例の第３工程を示す概略側面図である。
【図４】本発明の柱頭部の構築方法の第４工程を示す概略側面図である。
【図５】（ａ）は図２の一部を拡大して示す拡大縦断側面図、（ｂ）は図３の一部を拡大して示す拡大縦断側面図である。
【図６】（ａ）は図３の概略正面図、（ｂ）は図４の概略正面図である。
【図７】従来の柱頭部の構築方法の第１工程を示す概略側面図である。
【図８】従来の柱頭部の構築方法の第２工程を示す概略側面図である。
【図９】従来の柱頭部の構築方法の第３工程を示す概略側面図である。
【符号の説明】
【００２３】
１  橋脚
２  ブラケット
２Ａ  作業床
３  縦部分
４  型枠
５  張り出し部
５ａ  足場
６  柱頭部
７  斜材
８  第１ブロック
９  底部コンクリート部
１０  中間コンクリート部
１１  頂部コンクリート部
１２  コンクリートウェブ
１３  柱頭下部部分
１４  傾斜支持梁
１５  大型ブラケット
【図１】
2009097197.tif 000003
【図２】
2009097197.tif 000004
【図３】
2009097197.tif 000005
【図４】
2009097197.tif 000006
【図５】
2009097197.tif 000007
【図６】
2009097197.tif 000008
【図７】
2009097197.tif 000009
【図８】
2009097197.tif 000010
【図９】
2009097197.tif 000011